(57)【要約】【課題】中空体に砂利等の流れ込みを阻止できるようにするとともに土砂粒の流れ込みを極力阻止し、真水に近い排水を可能にすることを課題とする。【解決手段】中空体１の上面に複数の突板２、２、２・・・を間隔をおき、かつ縦横に突設して複数の透孔３、３、３・・・を有する砂利流入防止用のスクリーン２０を形成する。スクリーン２０間に螺旋状に巻回した金属線６ａを圧入する。【選択図】　　　　図１
2004124662.tif 000002
【特許請求の範囲】
【請求項１】
中空体の上面に複数の突板を間隔をおき、かつ縦横に突設して複数の透孔を有する砂利流入防止用のスクリーンを形成し、前記スクリーン間に螺旋状に巻回した金属線を圧入することを特徴とする集排水装置。
【請求項２】
スクリーンの両側に上方に行くに従って拡がる上側板を突設することを特徴とする請求項１の集排水装置。
【請求項３】
中空体の後面に前記中空体に連通する尾管を水平に突設することを特徴とする請求項１の集排水装置。
【発明の詳細な説明】
【０００１】
【発明の属する技術分野】
本発明は地中に埋設され、地下水や浸透してくる雨水を集排水する装置に関する。
【０００２】
【従来の技術】
従来より造成地や崖等の擁壁に埋設した水抜管に接続し、しかも擁壁の背面土に埋設する集排水装置として多孔管が知られている。
【０００３】
従来例の場合、集水口が小径孔やスリットであると、水とともに流動する土砂粒により目詰まりを生じ、集水効率が低く、また集水口を大径孔にすると、砂利および土の塊、夾雑物等で砂利級の大きさの固形物（以下、砂利等とする）が管内に流れ込み、管が詰って排水効率が悪い。なお集水口の孔径を、砂利より小さい土砂粒を通すが、砂利を通さない大きさにしても水抜管から多量の泥水が排水され、良い環境を保つことができない。
【０００４】
【発明が解決しようとする課題】
本発明は前記中空体に前記砂利等の流れ込みを阻止できるようにするとともに土砂粒の流れ込みを極力阻止し、真水に近い排水を可能にすることを課題とする。
【０００５】
また本発明は集水効率を良好にし、さらに複数の集排水装置を間隔をおいて連結できるようにすることを課題とする。
【０００６】
【課題を解決するための手段】
本発明は中空体の上面に複数の突板を間隔をおき、かつ縦横に突設して複数の透孔を有する砂利流入防止用のスクリーンを形成し、前記スクリーン間に螺旋状に巻回した金属線を圧入することを特徴とするものである。
【０００７】
ここに砂利等はスクリーンおよび前記金属線により前記中空体に入りこめず、また砂利より小さい土砂粒も前記金属線のフィルター作用により中空体内に入りにくく、前記中空体からは真水に近い水が排出される。
【０００８】
また本発明はスクリーンの両側に上方に行くに従って拡がる上側板を突設することを特徴とすることが好ましい。このようにすれば集水効率が良好になる。
【０００９】
さらに請求項１の発明は中空体の後面の尾管の有無を限定するものではないが、中空体の後面に前記中空体に連通する尾管を水平に突設することが好ましい。このようにすれば連結パイプを介して複数の本集排水装置を広範囲に渡って設置することができ集排水効率はさらに良好になる。
【００１０】
【発明の実施の形態】
中空体１の上半部１０上面に複数の突板２、２、２・・・を間隔をおき、しかも縦横に突設して多数の角状の透孔３、３、３・・・を有するスクリーン２０を形成し、中空体１の上半部１０で、しかも前記複数の突板２、２、２・・・の間隙２１、２１、２１・・・に金属線６ａ例えばアルミニウム線を螺旋状に巻回してなるフィルター６を圧入する。前記のようにアルミニウム線にすれば発錆せず、経年使用が可能で、しかも錆水を排出しないので環境的に良好となる。
【００１１】
このフィルター６は弾性を有する螺旋ではなく、外的力により軸方向に伸縮可能な螺旋であり、背面土の状況により最適の螺旋間隔にすることができる。螺旋間隔を状況に応じて図２若しくはこれより粗密にしてもよい。なお各金属線６ａの両端を図５で示すように延長垂下して金属線６ａが容易に抜けにくいように形成してある。
【００１２】
中空体１の一端に中空体１に連通する嵌入管７を着脱自在に突設し、他端に中空体１に連通する尾管８０を着脱自在に突設する。
【００１３】
より具体的には中空体１を丸穴管で形成するとともにその底部１２を平らに形成し、中空体１の一端に丸溝１４を形成し、また嵌入管７にフランジ７ａを形成し、各フランジ７ａに凹凸部７ｂを形成し、丸溝１４に凸凹部１４ａを形成し、凸凹部１４ａに凹凸部７ｂを嵌合して中空体１に嵌入管７を突設し、中空体１と同心状の丸管よりなる嵌入管７をやや先窄まり状に形成するとともに後方に１８０度間隔でスリット７１、７１を設ける。この嵌入管７のフランジ７ａの径および形状を一定にし、図７で示すように異径の嵌入管７ｃ、７ｄ、７ｅ・・・を複数個形成し、擁壁９の水抜管９０に対応するものを選択する。このようにすれば、水抜管９０の径が異なっても一種類の中空体１を形成すれば足りる。
【００１４】
端壁８から管軸方向に嵌入管７と同心状の丸管よりなる尾管８０を水平方向に突設し、この尾管８０に嵌入管７のフランジ７ａと同一のフランジ８０ａを形成するとともに端壁８に丸溝１４と同一の丸溝８０ｂを形成し、フランジ８０ａを溝８０ｂに着脱自在に取付ける。前記中空体１と嵌入管７および中空体１と尾管８０との嵌合部分は同一構成であるので図６はＢ−Ｂ断面図とＢ′−Ｂ′断面図とを共用したものである。なお端壁８には連結パイプ用凹部８０ｃを形成する。また他例として端壁８に前記尾管８０および尾管８０の嵌合手段、連結パイプ用凹部８０ｃを有さないものがある。
【００１５】
スクリーン２０は砂利流入防止用の手段である。間隙２１は水および砂利より小さい土砂粒を通すが、砂利を通さない隙間である。
【００１６】
スクリーン２０は中空部１の上面に、縦横に交叉する多数の突板２、２、２、２・・・を間隔をおいて突設する。中空部１の上面は平面でもよいが、半円状に形成することがより好ましい。上面に付着した水が落下しやすく、集水しやすいからである。
【００１７】
中空体１の上半部１０内周から軸方向に交叉するリブ４を突設し、中空体１の下半部１１を樋状に形成し、中空体１の底部１２内面から仕切壁５を軸方向に突設し、各リブ４と仕切壁５とを嵌合する。下半部１１の両側板１１ａを縦格子状にしたのは材料逃げである。
【００１８】
具体的には図５で示すように中空体１の上半部１０内周に沿って半円帯状に突設するとともに頂部より中心に向けて舌片部４′を延出し、舌片部４′の下端に凹部４０を形成し、各リブ４の凹部４０に仕切壁５の上端縁を嵌合する。
【００１９】
中空体１の長手方向には垂直に立上る側板１ａ、１ａを形成し、各側板１ａの上端を上方に行くに従って広げて上側板１ｂとする。なお各側板１ａを縦格子状にしたのは材料逃げである。また中空体１後方の上下から櫛歯８０ｃ、８０ｄを一体形成する。
【００２０】
また中空体１を含め前記構成の本発明装置をプラスチック、具体的にはポリプロピレンで形成する。このようにプラスチックで形成すれば容易に運搬かつ作業することができ、しかも容易かつ安価に製造することができ、特にポリプロピレンの場合には耐衝撃力が大きく堅牢である。
【００２１】
中空体１を含め前記構成の本発明装置は管軸方向に上・下半分に分割してなる上半分セグメント１′と下半分セグメント１″とを凹凸嵌合してなる。具体的には図１、５で示すように上半分セグメント１′、下半分セグメント１″の一方に孔部１６、１６・・を形成するとともに他方にピン１７、１７・・を突設し、各ピン１７を各孔部１６の孔に嵌合する。また上・下半分セグメント１′、１″の各四隅に小片８２を一体形成してそれぞれボルト締めする。なお上・下半分セグメント１′、１″は溶着若しくは接着してもよく、このようにすれば前記嵌合、ボルト締めより上半分セグメント１′と下半分セグメント１″とは確実に一体化する。
【００２２】
次に本発明装置の使用法、作用を説明する。図９に示すように擁壁９に埋設した水抜管９０の径に対応する径の嵌入管７を嵌入する。嵌入管７は先窄まり状なので容易に挿入することができ、またスリット７１を有するので、バネ作用により水抜管９０の孔径に微差があっても容易に挿入できるとともに確実に取付けられる。
【００２３】
また通常は嵌入管７を水抜管９０に差し込み、その後、手で押込めばよいが、きつすぎる場合には尾管８０をハンマーで叩く。ここに尾管８０は嵌入管７と同心位置に突設したので本装置を変形させることなく確実に押込むことができる。
【００２４】
本装置の取付後、背面土の埋戻しをするが、中空体１の上半部１０上面にはスクリーン２０が形成されており、前記の間隙２１には砂利等が入り込むおそれがない。さらに中空体１の底部１２を平らに形成してあるので安定良く設置され、スクリーン２０を正確に位置決めすることができるとともに中空体１に回転方向への圧力がかかっても回転を阻止することができ、嵌入管７が緩みにくい。
【００２５】
また図８、９で示すように本装置を複数個、離間して配置し、連結パイプ９１、９１で連結してもよく、また図９の下方に示すように尾管８０のない他例を使用してもよい。
【００２６】
雨等により土中に浸透した水の流動にともなって流動する砂利はスクリーン２０により中空体１内への流れ込みを阻止され、また砂利より小さい土砂粒の大部分がフィルター６により中空体１内への流れ込みを阻止される。また水平方向からの前記砂利等は中空体１の後方かつ上下に形成された櫛歯８０ｃ、８０ｄにより中空体１内への流れ込みを阻止される。なお水平方向からの流れ込みは、通常、水分がほとんどであるが、砂利等が流動してきても前記櫛歯８０ｃ、８０ｄにより中空体１内への流れ込みを阻止される。また土中の水分は各突板２により補集されて、各突板２の表面を伝わって透孔３に導かれ、集水効率が良い。さらに透孔３は水のみを通す小径孔やスリットではなく、水のみならず砂利より小さい土砂粒の通過を許容する大きさの角状の透孔３であり、しかも土砂粒自体はその殆どがフィルター６で阻止されるから透孔３の集水効果が良好となる。なお上方に行くに従って拡がる上側板１ｂ、１ｂを有するため、さらに集水効果は大となる。
【００２７】
【発明の効果】
本発明によれば、集水しやすく、また砂利等の流れ込みを完全に阻止できるとともに土砂粒の流れ込みをほとんど阻止でき、集水効率が極めて良好であり、しかも真水に近い水を排水することができ、環境的にも有効である。
【図面の簡単な説明】
【図１】本発明の実施の形態の斜視図である。
【図２】同上の平面図である。
【図３】同上の一部を切欠いた正面図である。
【図４】同上の左側面図である。
【図５】Ａ−Ａ断面図である。
【図６】Ｂ−Ｂ端面図である。
【図７】本発明装置で使用される異径の嵌合管を示す斜視図である。
【図８】本装置の連結状態を示す一部切欠正面図である。
【図９】同上の取付状態例を示す説明図である。
【符号の説明】
１　　中空体
１ｂ　上側板
２　　突板
６ａ　金属線
８０　尾管
２０　スクリーン
【図１】
2004124662.tif 000003
【図２】
2004124662.tif 000004
【図３】
2004124662.tif 000005
【図４】
2004124662.tif 000006
【図５】
2004124662.tif 000007
【図６】
2004124662.tif 000008
【図７】
2004124662.tif 000009
【図８】
2004124662.tif 000010
【図９】
2004124662.tif 000011